(57)【特許請求の範囲】
【請求項１】
自動車の窓枠に取り付け可能な鍔部と、該鍔部に沿って長尺帯状に形成された庇部とからなる自動車用バイザーであって、
前記庇部と前記鍔部とを別個に成形して接合するとともに、前記鍔部を金属により形成し、前記鍔部の端縁を、前記窓枠側となる内側に向けて断面略Ｕ字状に折り返し形成若しくはカール形成した自動車用バイザー。
【発明の詳細な説明】
【技術分野】
【０００１】
本発明は、自動車の窓枠に取り付けられる自動車用バイザーに関するものである。
【背景技術】
【０００２】
従来より日除けや雨除けとして機能する自動車用バイザーは、窓枠に取り付けられる鍔部と、該鍔部から連設された庇部とを一体的に形成したものが知られている。
【０００３】
他にも、特許文献１に記載の自動車用バイザーでは、自動車の窓枠に沿うように形成されたステンレス製の鍔部と、該鍔部に取り付けた際に鍔部から膨出した状態となるように形成されたアクリル樹脂製の庇部とによって構成され、鍔部の接合部と庇部の接着部とを粘着テープで接着することによって、鍔部と庇部とが接合される構造も知られている。
【先行技術文献】
【特許文献】
【０００４】
【特許文献１】再公表特許第ＷＯ２００５／０９０１０７号公報
【発明の概要】
【発明が解決しようとする課題】
【０００５】
しかしながら、上記従来の鍔部の接合部と庇部の接着部とを粘着テープで接着する自動車用バイザーでは、自動車窓枠周辺のデザインを損ねることはないものの、端末がＬ字状に折り曲げられるため、当該端末が車両本体に接触する傷付きの原因になるといった問題があった。そのため、図６に示されているように、鍔部にエンドキャップ１３を装着する構造も知られている。このエンドキャップ１３は、鍔部３の被覆部６の内側に形成された空間に挿入可能な基部１４と、基部１４よりも一回り大きく形成された蓋部１５とを一体形成し、基部１４側から挿入すると、蓋部１５が鍔部３の端縁に当接する構造を有している。しかし、エンドキャップ１３を挿入する構造では、自動車の窓枠周辺のデザインが損なわれてしまうといった不具合が生じていた。
【０００６】
そこで、本発明の目的は、上記従来の自動車用バイザーの問題点を解消するとともに、端末が車両本体に接触する傷付きを防止することにある。
【課題を解決するための手段】
【０００７】
本発明のうち、請求項１に記載された発明は、自動車の窓枠に取り付け可能な鍔部と、該鍔部に沿って長尺帯状に形成された庇部とからなる自動車用バイザーであって、
前記庇部と前記鍔部とを別個に成形して接合するとともに、前記鍔部を金属により形成し、前記鍔部の端縁を、前記窓枠側となる内側に向けて断面略Ｕ字状に折り返し形成若しくはカール形成したことを特徴とするものである。
【発明の効果】
【０００９】
請求項１に記載された自動車用バイザーは、エンドキャップを不要とし、自動車窓枠周辺のデザインを損ねることがなく、端縁が車両本体に接触する傷付きを解消することも可能である。また、集中する応力が全域に分散され、破断を生じることがない。
【図面の簡単な説明】
【００１１】
【図１】サイドバイザーを自動車の窓枠に取り付けた状態を示す説明図である。
【図２】サイドバイザーを外側から見た説明図である。
【図３】図１におけるＡ−Ａ線断面を示す説明図である。
【図４】本発明のサイドバイザーの端縁を示す説明図である。
【図５】図４における断面図であり、（ａ）はＢ−Ｂ線断面を、（ｂ）はＣ−Ｃ線断面を、（ｃ）はＤ−Ｄ線断面を示す。
【図６】従来のサイドバイザー側端部にエンドキャップを使用した状態を示す説明図である。
【発明を実施するための形態】
【００１２】
以下、本発明の自動車用バイザーの一実施形態について、図面に基づいて詳細に説明する。
【００１３】
図１は、自動車用バイザー（以下、サイドバイザー１とする）が自動車Ｖの窓枠２に取り付けられた状態を示したものである。図２は、サイドバイザー１を外側から見た説明図である。また、図３は、サイドバイザー１の断面（図１におけるＡ−Ａ線断面）を示す説明図（自動車Ｖ側の構造を一部省略して示したもの）である。なお、以下の説明では、図１および図２における自動車Ｖ側をサイドバイザー１の内側とし、反対側を外側として説明する。
【００１４】
図１及び図２に示されるように、サイドバイザー１は、自動車Ｖの窓部の周縁（以下、窓枠と称す）２に沿うような長尺の刀身状に形成された金属製（たとえば、ステンレス製）の鍔部３と、この鍔部３と同様な長尺の刀身状に形成された合成樹脂製（たとえば、アクリル樹脂製）の庇部４とからなるものである。
【００１５】
次に、鍔部３は、ステンレス製の薄板（たとえば、厚さ約０．４ｍｍ）を、いわゆるプレス成形によって折り曲げ形成してなるものであり、図３に示されているように、その断面は略Ｓ字状（逆Ｓ字状）になっている。そして、鍔部３の上部は、自動車Ｖの窓枠２を被覆するための帯板状の被覆部６となっており、被覆部６の内側面には、自動車Ｖに取り付けるための粘着テープ９（たとえば、厚さ約１．６ｍｍのもの）が貼着されている。また、被覆部６の上端部には、内側方向へと折り曲げられた係合部７が形成されており、この係合部７の上端縁には、窓枠２の内側に係合させるための折返しである係合凸条８が設けられている。なお、鍔部３の被覆部６の上下方向の幅は、後述する自動車Ｖの窓枠２に取り付けられた車両モールの上下方向の幅と略同一となっている。
【００１６】
また、鍔部３の下部は、庇部４と接合させるための接合部１０が、被覆部６の下端縁に沿って一連の帯状に設けられており、被覆部６よりも内側となるように凹状に窪んだ状態になっている。また、接合部１０の下端縁には、庇部４と係合可能な係止凸条１１が形成されている。その接合部１０には、庇部４を接着するための粘着テープ（両面粘着テープ）５が貼着されており、その粘着テープ５によって庇部４の上端際の部分が接着されている。なお、鍔部３の接合部１０の平坦部分は、粘着テープ５の厚みと庇部４の厚みとを合わせた分だけ被覆部６よりも内側に位置しており、接着した庇部４の上端縁と被覆部６とが略面一となるようになっている。
【００１７】
次に、庇部４は、アクリル樹脂を射出成形することによって形成されており、上下方向に若干湾曲し、中央部分が外側に突出した状態になっている。また、庇部４は、着色された合成樹脂によって形成されており、適度な透光性と遮光性とを発現することができるようになっている。さらに、庇部４の上部内側面には、鍔部３の接合部１０と接着するための接着部１２が一体的に設けられており、他の部分より内側に突出した状態になっている。なお、接着部１２の上下方向の幅は、接合部１０の上下方向の幅と略同一となっている。一方、庇部４の上部外側面は、上端側へといくにつれて徐々に薄厚となるように曲面状に形成されている。また、庇部４の後端際の外面は、平坦になっている。
【００１８】
かかる庇部４は、粘着テープ５によって接着部１２の表面を鍔部３の接合部１０と接着することによって鍔部３と一体となっている。そして、鍔部３に対して外側に膨出した状態になっており、取り付けられた自動車Ｖの窓ガラスの上部周縁を覆うようになっている。なお、庇部４の後端際の外面は、略平坦になっている。また、鍔部３の接合部１０と接着した接着部１２の下端部には、接合部１０の下端の係止凸条１１が係止された状態になっている。
【００１９】
次に、サイドバイザー１の断面について説明する。図４は、サイドバイザー１のドアノブ側（後方側）の斜視図を示したものである。この図４において、Ｂ−Ｂ線断面を示したものが図５（ａ）であり、鍔部３の端縁１６は、自動車Ｖ側となる内側に向けて断面略Ｕ字状に折り返し形成されている。ここで、端部１６は、外径０．７±０．１ｍｍに折り返し、内側に０．６±０．２ｍｍの空間を形成することが好ましい。次に、図４においてＣ−Ｃ線断面を示したものが図５（ｂ）であり、端縁１６はＢ−Ｂ線断面の位置と連続しているため、同様に内側へ向けて断面略Ｕ字状に折り返し形成されている。他にも、図４においてＤ−Ｄ線断面を示したものが図５（ｃ）であり、上述のように、庇部４は、粘着テープ５によって接着部１２の表面を鍔部３の接合部１０と接着することで鍔部３と一体となっている。
【００２０】
以下、サイドバイザー１の自動車Ｖの窓枠２への取付作業について説明する。なお、自動車Ｖの窓枠２は、金属（ステンレス）製のモール（車両モール）によって装飾されている。
【００２１】
サイドバイザー１を、図３に示すように自動車Ｖの窓枠２へ取り付ける場合には、まず、鍔部３の被覆部６の内側面に粘着テープ９を貼着する。そして、係合部７の係合凸条８を窓枠２に係合させながら、粘着テープ９により鍔部３を窓枠２に固着する。かかる如く、サイドバイザー１は、係合凸条８による係合と粘着テープ９による接着によって自動車Ｖの窓枠２に取り付けられる。なお、粘着テープ９の厚みは、鍔部３の被覆部６との合計厚みが約２．０ｍｍとなるように調整される。
【００２２】
なお、自動車Ｖにおいては、窓枠２の車両モールの上下方向の幅が、約１０．０ｍｍから１４．０ｍｍの範囲内で変化している（後側の幅の方が前側の幅に比べて広くなっている）が、サイドバイザー１においては、その車両モールの幅の変化に対応して、被覆部６の幅が、約１２．０ｍｍから１６．０ｍｍの範囲内で変化している（後側の幅の方が前側の幅に比べて広くなっている）。
【００２３】
上記の如く構成されたサイドバイザー１は、庇部４と鍔部３とを別個に成形して接合するとともに、鍔部３を金属により形成し、鍔部３の端縁１６を、窓枠２側となる内側に向けて折り返し形成したことから、エンドキャップ１３を不要とし、自動車窓枠周辺のデザインを損ねることがなく、端縁１６が車両本体に接触する傷付きを解消することも可能である。
【００２４】
また、鍔部３の端縁１６は、断面略Ｕ字状に折り返し形成したことから、集中する応力が全域に分散され、破断を生じることがない。
【００２５】
なお、本発明にかかるサイドバイザーの構造は、上記した実施の形態に何ら限定されるものではなく、本発明の趣旨を逸脱しない範囲で、鍔部および庇部の材料や形状、大きさ、自動車の窓枠への取り付け方法等を適宜変更することができる。
【００２６】
たとえば、サイドバイザー１の端縁１６は、自動車側である外側から内側へ向かい湾曲したものであるが、図４に示すようにドアノブ側の端縁１６のみに限定されるものではなく、ドアミラー側（前方側）の端縁１６において同様に形成しても良く、適宜変更可能である。この場合も、端縁１６が車両本体に接触する傷付きを解消することが可能である。
【００２７】
更に、鍔部３の端縁１６は、断面略Ｕ字状の折り返しに限らず、断面Ｏ字状にカール形成（内側に巻き込む）しても良く、適宜変更可能である。
【００２８】
また、鍔部３は、上記実施形態の如く、ステンレスによって形成されたものに限定されず、鉄やアルミニウム等のステンレス以外の金属によって形成されたもの等に変更しても良く、適宜変更可能である。一方、庇部４は、アクリル樹脂等の合成樹脂によって形成されたものに限定されず、ガラス繊維を混入させたナイロン６６によって形成されたものや、ナイロン６６以外の樹脂によって形成されたもの、ガラス繊維を充填していない合成樹脂によって形成されたもの等に変更しても良く、適宜変更可能である。
【符号の説明】
【００２９】
１・・サイドバイザー（自動車用バイザー）、２・・窓枠、３・・鍔部、４・・庇部、５・・粘着テープ、６・・被覆部、７・・係合部、８・・係合凸部（折り返し）、９・・粘着テープ、１０・・接合部、１１・・係止凸条（突条）、１２・・接着部、１３・・エンドキャップ、１４・・基部、１５・・蓋部、１６・・端縁、Ｖ・・自動車。
【図１】
0005723620.tif 000002
【図２】
0005723620.tif 000003
【図３】
0005723620.tif 000004
【図４】
0005723620.tif 000005
【図５】
0005723620.tif 000006
【図６】
0005723620.tif 000007